(57)【特許請求の範囲】
【請求項１】
個人別登録情報と生体情報とが対応付けられた個人別情報を複数人分記憶する個人別情報記憶部と、
前記個人別登録情報の送信要求を受信する送信要求受信部と、
前記送信要求に基づいて、前記個人別情報記憶部が記憶している複数人分の個人別登録情報を送信する個人別登録情報送信部と、
前記複数人分の個人別登録情報のいずれかの指定と登録内容とが対応付けられた登録要求を受信する登録要求受信部と、
前記個人別情報記憶部の記憶する個人別登録情報のうち前記登録要求にて指定された個人別登録情報に前記登録内容を登録する登録部と、
を具備する生体情報測定装置。
【請求項２】
前記個人別情報記憶部は、更新タイミング情報を含む前記個人別登録情報を記憶し、
前記登録要求受信部は、前記個人別登録情報に更新タイミング情報を含む前記登録要求を受信し、
前記登録部は、前記個人別情報記憶部の記憶する前記更新タイミング情報と、前記登録要求に含まれる前記更新タイミング情報とを比較し、前記登録要求に含まれる前記更新タイミング情報の示す更新タイミングのほうが新しいと判定した場合に個人別登録情報の登録を行う、
請求項１に記載の生体情報測定装置。
【請求項３】
前記登録部は、前記登録要求に含まれる前記更新タイミング情報の示す更新タイミングよりも、前記個人別情報記憶部の記憶する前記更新タイミング情報の示す更新タイミングのほうが新しいと判定した場合、前記登録要求の送信側に対して、前記個人別登録情報の更新を要求する、請求項２に記載の生体情報測定装置。
【請求項４】
前記登録要求にて指定される個人別登録情報が、前記個人別情報記憶部の記憶する個人別登録情報として登録済みか否かを判定する登録有無判定部と、
前記登録有無判定部が登録済みと判定すると、上書き可否の確認要求を送信する上書き可否確認要求送信部と、
前記上書き可否の確認要求に対する回答を受信する上書き可否回答受信部と、
を具備し、
前記登録部は、前記回答にて上書き不可とされた情報の登録を抑制する、
請求項１から３のいずれか一項に記載の生体情報測定装置。
【請求項５】
生体情報測定時に色の表示を行う色分け表示部を具備し、
前記個人別情報記憶部は、前記個人別登録情報に色情報を含んで記憶し、
前記色分け表示部は、前記個人別登録情報にて生体情報測定対象者に対応付けられた色を表示する、
請求項１から４のいずれか一項に記載の生体情報測定装置。
【請求項６】
前記登録要求受信部は、前記個人別登録情報のうち報知対象項目を示す情報を含む前記登録要求を受信し、
前記個人別情報記憶部は、前記個人別登録情報のうち報知対象項目を示す情報を含む前記個人別情報を記憶し、
前記個人別登録情報送信部は、前記個人別登録情報のうち報知対象項目を示す情報を含む複数人分の前記個人別登録情報を送信する、
請求項１から５のいずれか一項に記載の生体情報測定装置。
【請求項７】
生体情報測定装置と端末装置とを具備し、
前記生体情報測定装置は、
個人別登録情報と生体情報とが対応付けられた個人別情報を複数人分記憶する個人別情報記憶部と、
前記個人別登録情報の送信要求を前記端末装置から受信する送信要求受信部と、
前記送信要求に基づいて、前記個人別情報記憶部が記憶している複数人分の個人別登録情報を前記端末装置へ送信する個人別登録情報送信部と、
前記複数人分の個人別登録情報のいずれかの指定と登録内容とが対応付けられた登録要求を前記端末装置から受信する登録要求受信部と、
前記個人別情報記憶部の記憶する個人別登録情報のうち前記登録要求にて指定された個人別登録情報に前記登録内容を登録する登録部と、
を具備し、
前記端末装置は、
前記個人別登録情報の送信要求を前記生体情報測定装置へ送信する送信要求送信部と、
複数人分の前記個人別登録情報を前記生体情報測定装置から受信する個人別登録情報受信部と、
前記個人別登録情報受信部が受信した複数人分の前記個人別登録情報を報知する個人別登録情報報知部と、
前記複数人分の個人別登録情報のいずれかの選択操作を受ける操作入力部と、
前記選択操作にて選択された個人別登録情報の指定と、当該個人別登録情報への登録内容とが対応付けられた登録要求を前記生体情報測定装置へ送信する登録要求送信部と、
を具備する、
生体情報測定システム。
【請求項８】
個人別登録情報と生体情報とが対応付けられた個人別情報を複数人分記憶する個人別情報記憶部を具備する生体情報測定装置の個人別登録情報登録方法であって、
前記個人別登録情報の送信要求を受信する送信要求受信ステップと、
前記送信要求に基づいて、前記個人別情報記憶部が記憶している複数人分の個人別登録情報を送信する個人別登録情報送信ステップと、
前記複数人分の個人別登録情報のいずれかの指定と登録内容とが対応付けられた登録要求を受信する登録要求受信ステップと、
前記個人別情報記憶部の記憶する個人別登録情報のうち前記登録要求にて指定された個人別登録情報に前記登録内容を登録する登録ステップと、
を具備する個人別登録情報登録方法。
【請求項９】
生体情報測定装置と通信を行う端末装置に、
個人別登録情報の送信要求を前記生体情報測定装置へ送信する送信要求送信ステップと、
複数人分の前記個人別登録情報を前記生体情報測定装置から受信する個人別登録情報受信ステップと、
前記個人別登録情報受信ステップにて受信した複数人分の前記個人別登録情報を報知する個人別登録情報報知ステップと、
前記複数人分の個人別登録情報のいずれかの選択操作を受ける操作入力ステップと、
前記選択操作にて選択された個人別登録情報の指定と、当該個人別登録情報への登録内容とが対応付けられた登録要求を前記生体情報測定装置へ送信する登録要求送信ステップと、
を実行させるためのプログラム。
【発明の詳細な説明】
【技術分野】
【０００１】
本発明は、生体情報測定装置、生体情報測定システム、個人別登録情報登録方法およびプログラムに関する。
【背景技術】
【０００２】
端末装置と通信を行う生体情報測定装置が提案されている。
例えば、特許文献１に記載の生体情報測定装置は、外部端末との間で相互認証を行って双方向通信の通信リンクを形成し、当該通信リンクを介してデータを送受信する生体情報測定装置であって、双方向通信の通信リンクの形成後、測定動作中は通信リンクを一時解除し、測定動作終了後に一時解除した通信リンクを再形成する。
また、特許文献１には、双方向通信によれば、外部端末から生体情報測定装置に向けた利用者に係わる、例えば、年齢、身長、体重等の身体情報を送信することができ、生体情報の測定を多機能化することが可能となる他、利用者の測定データの管理も容易となる旨が記載されている。
【先行技術文献】
【特許文献】
【０００３】
【特許文献１】特開２００９−２４０５３０号公報
【発明の概要】
【発明が解決しようとする課題】
【０００４】
生体情報測定装置が、端末装置から受信した利用者に係る情報を記憶する場合、生体情報測定装置が既に記憶している情報に、新たな情報が誤って上書きされてしまい、生体情報測定装置が記憶していた情報が失われてしまう可能性がある。
【０００５】
本発明が解決しようとする課題は、生体情報測定装置が既に記憶している利用者に係る情報が誤って上書きされてしまう可能性を低減させることのできる生体情報測定装置、生体情報測定システム、個人別登録情報登録方法およびプログラムを提供することである。
【課題を解決するための手段】
【０００６】
本発明の第１の態様による生体情報測定装置は、個人別登録情報と生体情報とが対応付けられた個人別情報を複数人分記憶する個人別情報記憶部と、前記個人別登録情報の送信要求を受信する送信要求受信部と、前記送信要求に基づいて、前記個人別情報記憶部が記憶している複数人分の個人別登録情報を送信する個人別登録情報送信部と、前記複数人分の個人別登録情報のいずれかの指定と登録内容とが対応付けられた登録要求を受信する登録要求受信部と、前記個人別情報記憶部の記憶する個人別登録情報のうち前記登録要求にて指定された個人別登録情報に前記登録内容を登録する登録部と、を具備する。
【０００７】
前記個人別情報記憶部は、更新タイミング情報を含む前記個人別登録情報を記憶し、前記登録要求受信部は、前記個人別登録情報に更新タイミング情報を含む前記登録要求を受信し、前記登録部は、前記個人別情報記憶部の記憶する前記更新タイミング情報と、前記登録要求に含まれる前記更新タイミング情報とを比較し、前記登録要求に含まれる前記更新タイミング情報の示す更新タイミングのほうが新しいと判定した場合に個人別登録情報の登録を行うようにしてもよい。
【０００８】
前記登録部は、前記登録要求に含まれる前記更新タイミング情報の示す更新タイミングよりも、前記個人別情報記憶部の記憶する前記更新タイミング情報の示す更新タイミングのほうが新しいと判定した場合、前記登録要求の送信側に対して、前記個人別登録情報の更新を要求するようにしてもよい。
【０００９】
前記登録要求にて指定される個人別登録情報が、前記個人別情報記憶部の記憶する個人別登録情報として登録済みか否かを判定する登録有無判定部と、前記登録有無判定部が登録済みと判定すると、上書き可否の確認要求を送信する上書き可否確認要求送信部と、前記上書き可否の確認要求に対する回答を受信する上書き可否回答受信部と、を具備し、前記登録部は、前記回答にて上書き不可とされた情報の登録を抑制するようにしてもよい。
【００１０】
生体情報測定時に色の表示を行う色分け表示部を具備し、前記個人別情報記憶部は、前記個人別登録情報に色情報を含んで記憶し、前記色分け表示部は、前記個人別登録情報にて生体情報測定対象者に対応付けられた色を表示するようにしてもよい。
【００１１】
前記登録要求受信部は、前記個人別登録情報のうち報知対象項目を示す情報を含む前記登録要求を受信し、前記個人別情報記憶部は、前記個人別登録情報のうち報知対象項目を示す情報を含む前記個人別情報を記憶し、前記個人別登録情報送信部は、前記個人別登録情報のうち報知対象項目を示す情報を含む複数人分の前記個人別登録情報を送信するようにしてもよい。
【００１２】
本発明の他の一態様による生体情報測定システムは、生体情報測定装置と端末装置とを具備し、前記生体情報測定装置は、個人別登録情報と生体情報とが対応付けられた個人別情報を複数人分記憶する個人別情報記憶部と、前記個人別登録情報の送信要求を前記端末装置から受信する送信要求受信部と、前記送信要求に基づいて、前記個人別情報記憶部が記憶している複数人分の個人別登録情報を前記端末装置へ送信する個人別登録情報送信部と、前記複数人分の個人別登録情報のいずれかの指定と登録内容とが対応付けられた登録要求を前記端末装置から受信する登録要求受信部と、前記個人別情報記憶部の記憶する個人別登録情報のうち前記登録要求にて指定された個人別登録情報に前記登録内容を登録する登録部と、を具備し、前記端末装置は、前記個人別登録情報の送信要求を前記生体情報測定装置へ送信する送信要求送信部と、複数人分の前記個人別登録情報を前記生体情報測定装置から受信する個人別登録情報受信部と、前記個人別登録情報受信部が受信した複数人分の前記個人別登録情報を報知する個人別登録情報報知部と、前記複数人分の個人別登録情報のいずれかの選択操作を受ける操作入力部と、前記選択操作にて選択された個人別登録情報の指定と、当該個人別登録情報への登録内容とが対応付けられた登録要求を前記生体情報測定装置へ送信する登録要求送信部と、を具備する。
【００１３】
本発明の他の一態様による個人別登録情報登録方法は、個人別登録情報と生体情報とが対応付けられた個人別情報を複数人分記憶する個人別情報記憶部を具備する生体情報測定装置の個人別登録情報登録方法であって、前記個人別登録情報の送信要求を受信する送信要求受信ステップと、前記送信要求に基づいて、前記個人別情報記憶部が記憶している複数人分の個人別登録情報を送信する個人別登録情報送信ステップと、前記複数人分の個人別登録情報のいずれかの指定と登録内容とが対応付けられた登録要求を受信する登録要求受信ステップと、
前記個人別情報記憶部の記憶する個人別登録情報のうち前記登録要求にて指定された個人別登録情報に前記登録内容を登録する登録ステップと、を具備する。
【００１４】
本発明の他の一態様によるプログラムは、生体情報測定装置と通信を行う端末装置に、個人別登録情報の送信要求を前記生体情報測定装置へ送信する送信要求送信ステップと、複数人分の前記個人別登録情報を前記生体情報測定装置から受信する個人別登録情報受信ステップと、前記個人別登録情報受信ステップにて受信した複数人分の前記個人別登録情報を報知する個人別登録情報報知ステップと、前記複数人分の個人別登録情報のいずれかの選択操作を受ける操作入力ステップと、前記選択操作にて選択された個人別登録情報の指定と、当該個人別登録情報への登録内容とが対応付けられた登録要求を前記生体情報測定装置へ送信する登録要求送信ステップと、を実行させるためのプログラムである。
【発明の効果】
【００１５】
本発明によれば、生体情報測定装置が既に記憶している利用者に係る情報が誤って上書きされてしまう可能性を低減させることができる。
【図面の簡単な説明】
【００１６】
【図１】本発明の一実施形態における生体情報測定システムの機能構成を示す概略ブロック図である。
【図２】同実施形態における個人別情報記憶部１４１が記憶する個人別情報のデータ構造の例を示す説明図である。
【図３】同実施形態における体脂肪計１０の外形の例を示す概略外形図である。
【図４】同実施形態におけるスマートフォン２０の外形の例を示す概略外形図である。
【図５】同実施形態における表示部２２０による、個人別情報記憶部１４１の記憶している個人別登録情報の表示例を示す説明図である。
【図６】同実施形態における体脂肪計１０とスマートフォン２０とがペアリングを行う処理手順の例を示すシーケンス図である。
【図７】同実施形態における体脂肪計１０が生体情報を測定してスマートフォン２０が測定結果を表示する処理手順の例を示すシーケンス図である。
【図８】同実施形態での、スマートフォン２０が、個人別登録情報の一部のみを送信する運用において、記憶部２４０が記憶する個人別登録情報のデータ構造の例を示す説明図である。
【図９】同実施形態での、個人別登録情報の更新の新旧を判定する運用において、個人別情報記憶部１４１や記憶部２４０が記憶する個人別登録情報のデータ構造の例を示す説明図である。
【図１０】同実施形態での、ユーザ毎の色分け表示を行う運用において、個人別情報記憶部１４１や記憶部２４０が記憶する個人別登録情報のデータ構造の例を示す説明図である。
【図１１】同実施形態での、ユーザ毎の色分け表示を行う運用における体脂肪計１０の外形の例を示す概略外形図である。
【図１２】同実施形態での、ユーザ毎の色分け表示を行う運用におけるスマートフォン２０の表示例を示す説明図である。
【図１３】同実施形態での、個人別登録情報の各項目のうち表示対象となる項目をユーザが選択可能な運用において、個人別情報記憶部１４１や記憶部２４０が記憶する個人別登録情報のデータ構造の例を示す説明図である。
【図１４】同実施形態での、個人別登録情報の各項目のうち表示対象となる項目をユーザが選択可能な運用におけるスマートフォン２０の表示例を示す説明図である。
【図１５】本実施形態の一変形例における生体情報測定システムの機能構成を示す概略ブロック図である。
【図１６】同変形例における体脂肪計１２とスマートフォン２２とがペアリングを行う処理手順の例を示すシーケンス図である。
【発明を実施するための形態】
【００１７】
以下、本発明の実施形態を説明するが、以下の実施形態は特許請求の範囲にかかる発明を限定するものではない。また、実施形態の中で説明されている特徴の組み合わせの全てが発明の解決手段に必須であるとは限らない。
【００１８】
図１は、本発明の一実施形態における生体情報測定システムの機能構成を示す概略ブロック図である。同図において、生体情報測定システム１は、体脂肪計１０と、スマートフォン２０とを具備する。
体脂肪計１０は、通信部１１０と、表示部１２０と、操作入力部１３０と、記憶部１４０と、生体情報センサ部１５０と、制御部１８０とを具備する。記憶部１４０は、個人別情報記憶部１４１を具備する。制御部１８０は、通信制御部１８１と、表示制御部１８２と、入力処理部１８３と、記憶処理部１８４と、生体情報取得部１８５と、通信処理部１８６とを具備する。スマートフォン２０は、通信部２１０と、表示部２２０と、操作入力部２３０と、記憶部２４０と、制御部２８０とを具備する。制御部２８０は、通信制御部２８１と、表示制御部２８２と、入力処理部２８３と、記憶処理部２８４とアプリケーション実行部２８５と、登録有無判定部２８６と、上書き可否確認処理部２８７とを具備する。
【００１９】
体脂肪計１０は、ユーザの体重および体脂肪率を測定し、測定結果の履歴を記憶する。
体脂肪計１０には複数のユーザを登録可能であり、体脂肪計１０は、ユーザ毎に測定結果の履歴を記憶する。また、体脂肪計１０は、スマートフォン２０と通信を行って、生体情報の測定結果など、体脂肪計１０のユーザに関する各種情報をやり取りする。
体脂肪計１０は、生体情報測定装置の一例に該当する。但し、本実施形態における生体情報測定装置は、体脂肪計に限らず、血圧計や心電図など様々な種類の生体情報測定装置とすることができる。
【００２０】
記憶部１４０は、体脂肪計１０の具備する記憶デバイスを含んで構成され、記憶処理部１８４の制御に従って各種情報を記憶する。
個人別情報記憶部１４１は、個人別登録情報と生体情報とが対応付けられた個人別情報を複数人分記憶する。
【００２１】
図２は、個人別情報記憶部１４１が記憶する個人別情報のデータ構造の例を示す説明図である。ここでいう個人別情報とは、体脂肪計１０がユーザ毎に記憶する情報である。
図２の例において、個人別情報記憶部１４１は、個人１〜個人４の４人分の個人別情報を記憶しており、各個人別情報は、管理ＩＤ（Identifier、識別情報）と、個人別登録情報と、生体情報履歴とを含んでいる。
【００２２】
管理ＩＤは、個人別情報を１人分ずつ識別する情報である。例えば、個人別情報の登録時に記憶処理部１８４が管理ＩＤを設定する。
個人別登録情報は、ユーザの性別や身長など、ユーザ毎に、生体情報の測定前に予め個人別情報記憶部１４１に登録される情報である。図２の例では、個人別情報記憶部１４１は、個人別登録情報として、ユーザの生年月日と、性別と、年齢と、身長とを記憶している。例えば、スマートフォン２０が、生年月日、性別、身長の各情報のユーザ操作による入力を受けて体脂肪計１０へ送信し、記憶処理部１８４が、これらの情報を個人別情報記憶部１４１に記憶させる。また、記憶処理部１８４は、生年月日と現在日時とから年齢を算出して個人別情報記憶部１４１に記憶させる。
【００２３】
生体情報履歴は、体脂肪計１０が測定した生体情報の履歴である。図２の例では、個人別情報記憶部１４１は、生体情報履歴として、各回の測定について測定日時と、体重と、体脂肪率とを記憶している。
なお、個人別情報記憶部１４１が記憶する個人別情報は、未登録の情報を含んでいてもよい。例えば、個人１の個人別情報は登録済みで、個人２の個人別情報は未登録であってもよい。未登録の情報は、未登録であることを識別可能なデータ値（例えば、ヌルストリング）をとる。
【００２４】
図１に戻って、通信部１１０は、通信制御部１８１の制御に従ってスマートフォン２０の通信部２１０と通信を行い、各種情報をやり取りする。通信部１１０は、体脂肪計１０の具備する通信回路を含んで構成される。
特に、通信部１１０は、スマートフォン２０から体脂肪計１０への個人別登録情報の登録に際して、個人別情報記憶部１４１が記憶している個人別登録情報の送信要求を、スマートフォン２０の通信部２１０から受信する。通信部１１０は、送信要求受信部の一例に該当する。
【００２５】
また、通信部１１０は、上記の送信要求に基づいて、個人別情報記憶部１４１が記憶している複数人分の個人別登録情報を通信部２１０へ送信する。通信部１１０は、個人別登録情報送信部の一例に該当する。
通信部１１０が送信した個人別登録情報をスマートフォン２０が表示することで、個人別登録情報の登録を行うユーザは、個人別情報記憶部１４１への個人別登録情報の登録状況を確認することができる。これにより、個人別登録情報の登録を行うユーザは、個人別登録情報を誤って上書きしてしまうことを回避し得る。
【００２６】
また、通信部１１０は、個人別情報記憶部１４１が記憶している複数人分の個人別登録情報のいずれかの指定と登録内容とが対応付けられた登録要求を通信部２１０から受信する。通信部１１０は、登録要求受信部の一例に該当する。
通信部１１０と通信部２１０との通信方式は、様々な方式とすることができる。例えば、通信部１１０と通信部２１０とが、電波または赤外線などを用いた無線通信を行うようにしてもよいし、有線通信を行うようにしてもよい。
【００２７】
表示部１２０は、例えば、液晶式のデジタルパネルメータを含む表示画面を有し、表示制御部１８２の制御に従って体重や体脂肪率の測定値など各種情報を表示する。
操作入力部１３０は、例えば、押釦式の設定ボタンやフットスイッチ（足で操作するスイッチ）等の入力デバイスを有し、ユーザ操作を受け付ける。特に、操作入力部１３０は、体脂肪計１０とスマートフォン２０とのペアリングを指示するユーザ操作を受け付ける。ここでいうペアリングとは、通信相手の機器を登録する処理である。例えば、体脂肪計１０とスマートフォン２０とが、互いに相手を検出して通信接続し、相手の通信アドレスを取得して記憶する。
【００２８】
生体情報センサ部１５０は、例えばロードセルやインピーダンスセンサなど、体重や生体インピーダンスを測定するセンサを有する。生体情報センサ部１５０は、生体情報取得部１８５の制御に従って体重や生体インピーダンスの測定を行う。
制御部１８０は、体脂肪計１０の各部を制御して各種機能を実行する。制御部１８０は、例えば、体脂肪計１０の具備するＣＰＵ（Central Processing Unit、中央処理装置）が、記憶部１４０からプログラムを読み出して実行することで実現される。あるいは、制御部１８０が、専用の回路にてハードウェア的に実現されなど、ＣＰＵを用いる形態以外の形態で実現されていてもよい。
【００２９】
通信制御部１８１は、通信部１１０を制御して通信部２１０と通信を行わせる。表示制御部１８２は、表示部１２０を制御して、体重や体脂肪率の測定値など各種情報を表示させる。入力処理部１８３は、操作入力部１３０が受けたユーザ操作を検出する。
記憶処理部１８４は、記憶部１４０に対するデータの書込や読出や検索など、記憶部１４０に対する各種処理を行う。
【００３０】
特に、記憶処理部１８４は、個人別情報記憶部１４１の記憶する個人別登録情報のうち登録要求にて指定された個人別登録情報に、登録要求にて示される登録内容を登録する。記憶処理部１８４は、登録部の一例に該当する。
また、記憶処理部１８４は、個人別登録情報を個人別情報記憶部１４１に記憶させる際に管理ＩＤを設定するなど、個人別情報記憶部１４１に記憶させるデータの加工を行う。
【００３１】
生体情報取得部１８５は、生体情報センサ部１５０を制御して生体情報を取得する。具体的には、生体情報取得部１８５は、生体情報センサ部１５０を制御して体重の測定を行わせ、体重測定値を取得する。また、生体情報取得部１８５は、生体情報センサ部１５０を制御して生体インピーダンスの測定を行わせ、得られた生体インピーダンス測定値に基づいて体脂肪率を算出する。
【００３２】
通信処理部１８６は、通信部１１０が通信部２１０から受信する、個人別登録情報の送信要求に対する処理を行う。具体的には、通信処理部１８６は、個人別登録情報の送信要求を通信部１１０が受信すると、個人別情報記憶部１４１の記憶している個人別登録情報を、記憶処理部１８４を介して読み出す。そして、通信処理部１８６は、読み出した個人別登録情報を送信要求元の通信部２１０へ、通信部１１０を介して送信する。
【００３３】
図３は、体脂肪計１０の外形の例を示す概略外形図である。同図において、表示部１２０の表示画面と、操作入力部１３０の設定ボタンおよびフットスイッチと、生体情報センサ部１５０の測定端子（電極）とが示されている。
上記のように、表示部１２０は、表示画面に体重や体脂肪率の測定値など各種情報を表示する。
【００３４】
操作入力部１３０は、設定ボタンやフットスイッチを押下するユーザ操作を受け付ける。例えば、操作入力部１３０は、体脂肪計１０とスマートフォン２０とのペアリングを指示するユーザ操作を、所定の設定ボタンの押下操作にて受け付ける。
生体情報センサ部１５０は、ユーザが体脂肪計１０に乗り、足の裏が測定端子（電極）に接している状態で、生体情報取得部１８５の制御に従って体重や生体インピーダンスの測定を行う。
【００３５】
図１に戻って、スマートフォン２０は、端末装置の一例に該当し、体脂肪計１０の端末として機能する。例えば、スマートフォン２０は、体脂肪計１０に対して個人別登録情報の登録要求を行う。また、スマートフォン２０は、体脂肪計１０による生体情報の測定結果を表示する。
通信部２１０は、通信制御部２８１の制御に従って体脂肪計１０の通信部１１０と通信を行う。
【００３６】
特に、通信部２１０は、個人別登録情報の登録要求に先行して、個人別情報記憶部１４１が記憶している個人別登録情報の送信要求を体脂肪計１０へ送信する。通信部２１０は、送信要求送信部の一例に該当する。
そして、通信部２１０は、個人別登録情報の送信要求に対する応答にて、個人別情報記憶部１４１が記憶している複数人分の個人別登録情報を、通信部１１０から受信する。通信部２１０は、個人別登録情報受信部の一例に該当する。
【００３７】
また、通信部２１０は、個人別登録情報の送信要求に対する応答にて受信した複数の個人別登録情報のうち、ユーザの選択操作にて選択された個人別登録情報の指定と、当該個人別登録情報への登録内容とが対応付けられた登録要求を通信部１１０へ送信する。通信部２１０は、登録要求送信部の一例に該当する。
【００３８】
表示部２２０は、例えば液晶パネルまたは有機ＥＬ（Organic Electro Luminescence）パネルなどの表示画面を有し、表示制御部２８２の制御に従って、生体情報の測定結果など各種情報を表示する。特に、表示部２２０は、通信部２１０が受信した複数人分の個人別登録情報を表示する。表示部２２０は、個人別登録情報報知部の一例に該当する。
但し、スマートフォン２０における報知方法は視覚的な表示による方法に限らない。例えば、スマートフォン２０が、各種情報の報知を音声にて行うようにしてもよい。
【００３９】
操作入力部２３０は、表示部２２０の表示画面に設けられてタッチパネルを構成するタッチセンサを有し、各種ユーザ操作を受け付ける。特に、操作入力部２３０は、個人別情報記憶部１４１が記憶している複数人分の個人別登録情報のうち、新たに個人別登録情報を登録する対象の選択操作を受ける。
記憶部２４０は、スマートフォン２０の具備する記憶デバイスを含んで構成され、記憶処理部２８４の制御に従って各種情報を記憶する。
【００４０】
制御部２８０は、スマートフォン２０の各部を制御して各種機能を実行する。制御部２８０は、例えば、スマートフォン２０の具備するＣＰＵが、記憶部２４０からプログラムを読み出して実行することで実現される。
通信制御部２８１は、通信部２１０を制御して通信部１１０と通信を行わせる。表示制御部２８２は、表示部２２０を制御して、体重や体脂肪率の測定値など各種情報を表示させる。入力処理部２８３は、操作入力部２３０が受けたユーザ操作を検出する。記憶処理部２８４は、記憶部２４０に対するデータの書込や読出や検索など、記憶部２４０に対する各種処理を行う。
アプリケーション実行部２８５は、各種アプリケーションを実行して各種機能を実現する。特に、アプリケーション実行部２８５は、体脂肪計１０の端末のアプリケーションを実行することで、スマートフォン２０を体脂肪計１０の端末装置として機能させる。
【００４１】
登録有無判定部２８６は、個人別情報記憶部１４１が記憶している個人別登録情報のうち、新たに個人別登録情報を登録する対象としてユーザに選択された個人別登録情報が、登録済みの状態にあるか否かを判定する。ここでいう、個人別登録情報が登録済みとは、個人別情報記憶部１４１が記憶している当該個人別登録情報が登録済みの状態である（未登録の状態ではなく実質的なデータが格納されている）ことである。
例えば、新たに個人別登録情報を登録する対象として個人２の個人別登録情報が選択された場合、登録有無判定部２８６は、個人別情報記憶部１４１が記憶している個人２の個人別登録情報を取得し、当該個人別登録情報の内容を参照して、登録済みの状態か未登録の状態かを判定する。
【００４２】
上書き可否確認処理部２８７は、個人別情報記憶部１４１が記憶している個人別登録情報のうち、登録要求にて指定される個人別登録情報が、登録済みの状態にあると登録有無判定部２８６が判定した場合に、個人別登録情報の上書き可否の確認処理を行う。
具体的には、上書き可否確認処理部２８７は、上書きの可否を、表示部２２０を介してユーザに問い合わせる。そして、上書き可否確認処理部２８７は、ユーザによる回答を、操作入力部２３０を介して取得する。回答が上書き不可を示す場合、上書き可否確認処理部２８７は、体脂肪計１０への個人別登録情報の登録要求の送信を抑制する。これにより、体脂肪計１０において、記憶処理部１８４による個人別情報記憶部１４１への個人別登録情報の登録（書込）が抑制される。
【００４３】
図４は、スマートフォン２０の外形の例を示す概略外形図である。同図において、表示部２２０の表示画面と操作入力部２３０のタッチセンサとを含んで構成されるタッチパネルが示されている。
上記のように、表示部２２０は表示画面に各種情報を表示する。そして、操作入力部２３０は、表示部２２０の表示画面へのタッチ操作にてユーザ操作を受け付ける。特に、表示部２２０が、個人別情報記憶部１４１の記憶している個人別登録情報を表示し、操作入力部２３０が、新たに個人別登録情報を登録する対象の選択操作を受け付ける。
【００４４】
図５は、表示部２２０による、個人別情報記憶部１４１の記憶している個人別登録情報の表示例を示す説明図である。
同図において、表示部２２０は、個人別情報記憶部１４１の記憶している個人１〜個人４の４人分の個人別登録情報について、性別と、年齢と、身長とを表示している。個人２の個人別登録情報は未登録の状態にあるため、表示部２２０は未登録である旨を表示している。
ユーザが個人１〜個人４のいずれかを選択するタッチ操作を行うと、アプリケーション実行部２８５は、選択された個人別登録情報に対して新たな個人別登録情報の登録を要求する登録要求を生成し、通信部２１０を介して体脂肪計１０へ送信する。
【００４５】
このように、表示部２２０が、個人別情報記憶部１４１の記憶している個人別登録情報を表示することで、個人別登録情報の登録を行うユーザは、個人別情報記憶部１４１への個人別登録情報の登録状況を確認することができる。これにより、個人別登録情報の登録を行うユーザは、個人別登録情報を誤って上書きしてしまうことを回避し得る。例えば、図５の例では個人２の個人別登録情報が未登録であることが示されている。ユーザは、個人２を選択することで、登録済みの個人１、個人３および個人４の個人別登録情報を残したまま、体脂肪計１０に新たな個人別登録情報を登録させることができる。
【００４６】
なお、体脂肪計１０の端末装置はスマートフォンに限らない。体脂肪計１０と通信可能な様々な端末装置を用いることができる。また、体脂肪計１０の端末装置は、１つに限らない。例えば、体脂肪計１０に個人別登録情報を登録したユーザ毎にスマートフォンを有して体脂肪計１０の端末装置として用いるなど、端末装置が複数あってもよい。
【００４７】
次に、図６および図７を参照して、生体情報測定システム１の動作について説明する。
図６は、体脂肪計１０とスマートフォン２０とがペアリングを行う処理手順の例を示すシーケンス図である。
同図の処理において、スマートフォン２０のアプリケーション実行部２８５は、ユーザ操作に従って体脂肪計１０の端末のアプリケーションを起動する（シーケンスＳ１０１）。
次に、操作入力部２３０が、体脂肪計１０に記憶させる個人別登録情報の入力を受け、記憶処理部２８４が、入力された個人別登録情報を記憶部２４０に記憶させる（シーケンスＳ１０２）。
【００４８】
また、体脂肪計１０において操作入力部１３０は、ペアリングの開始を指示するユーザ操作を受ける（シーケンスＳ１１１）。例えば、操作入力部１３０は、図３に示す設定ボタンの長押しにて、ペアリングの開始を指示するユーザ操作を受ける。
ペアリング開始の指示を受けて、体脂肪計１０とスマートフォン２０とは、ペアリングを開始する。具体的には、体脂肪計１０とスマートフォン２０とは、互いに相手を検出して通信接続する（シーケンスＳ１２１）。そして、体脂肪計１０はスマートフォン２０を通信相手として登録する（シーケンスＳ１２２）。また、スマートフォン２０は体脂肪計１０を通信相手として登録する（シーケンスＳ１２３）。
【００４９】
また、体脂肪計１０とスマートフォン２０とは、ペアリングに付随する処理として、個人別登録情報の登録を行う。具体的には、まず、通信部２１０が通信部１１０に対して、個人別情報記憶部１４１の記憶している個人１〜個人４の個人別登録情報の送信を要求し、通信部１１０は、要求された個人別登録情報を返信する（シーケンスＳ１３１〜Ｓ１３８）。
なお、体脂肪計１０に登録可能な個人別登録情報の数についてスマートフォン２０が未知の場合、通信部２１０が通信部１１０に対して、全ての個人別登録情報の送信要求を１回送信するようにしてもよい。
【００５０】
個人別情報記憶部１４１が記憶している個人別登録情報を取得したスマートフォン２０では、表示部２２０が当該個人別登録情報を表示し、操作入力部２３０が、いずれかの個人別登録情報を選択するユーザ操作を受け付ける（シーケンスＳ１４１）。図６の例では、未登録である個人２の個人別登録情報が選択されている。
【００５１】
そして、登録有無判定部２８６が、シーケンスＳ１４１にて選択された個人別登録情報の登録の有無を判定する（シーケンスＳ１４２）。例えば、登録有無判定部２８６は、体脂肪計１０から得られた個人別登録情報の内容が、未登録を示すデータか否かを判定する。
図６の例では、個人２の個人別登録情報が選択されているので、登録有無判定部２８６は、シーケンスＳ１３４で得られた個人２の個人別登録情報の内容を判定する。個人２の個人別登録情報は未登録なので、未登録を示すデータとなっており、登録有無判定部２８６は登録なしと判定する。
【００５２】
なお、登録有無判定部２８６が登録済みと判定した場合は、上書き可否確認処理部２８７が、上書きの可否をユーザに問い合わせる。例えば、上書き可否確認処理部２８７は、選択された個人２が登録済みである旨、および、上書きの可否の問合せのメッセージを表示部２２０に表示させ、操作２３０が受け付ける上書き可否を回答するユーザ操作を待ち受ける。上書き可の回答を得た場合、スマートフォン２０は、体脂肪計１０に登録要求する処理を引き続き行う。
一方、上書き不可の回答を得た場合、スマートフォン２０は、個人別登録情報の登録要求を体脂肪計１０へ送信せずに処理を中断する。あるいは、スマートフォン２０（例えば上書き可否確認処理部２８７）が、他の個人別登録情報を選択するよう、ユーザに要求するようにしてもよい。
【００５３】
登録有無判定部２８６が登録なしと判定した場合や、上書き可否確認処理部２８７が上書き可の回答を検出した場合、通信部２１０は、シーケンスＳ１０２で登録された個人別登録情報を、個人２へ登録するよう要求する登録要求を通信部１１０へ送信する（シーケンスＳ１４３）。
【００５４】
体脂肪計１０では、通信部１１０がスマートフォン２０からの登録要求を受信すると、記憶処理部１８４が、当該登録要求に従って個人別登録情報を個人２に登録する（シーケンスＳ１４４）。
シーケンスＳ１４４における個人別登録情報の登録を記憶処理部１８４が完了すると、通信部１１０は、通信部２１０へ登録完了通知を送信する（シーケンスＳ１４５）。
また、表示部１２０は、ペアリングが完了した旨の表示を行う（シーケンスＳ１５１）。
図６の処理の後、体脂肪計１０およびスマートフォン２０は、引き続き図７の処理を行う。
【００５５】
図７は、体脂肪計１０が生体情報を測定してスマートフォン２０が測定結果を表示する処理手順の例を示すシーケンス図である。
同図の処理において、スマートフォン２０の表示部２２０は、ユーザに対して体脂肪計１０に乗るよう促す指示を表示する（シーケンスＳ２０１）。
体脂肪計１０では、生体情報センサ部１５０が体重の測定を行い、記憶処理部１８４が個人別情報記憶部１４１に測定結果を記憶させる（シーケンスＳ２１１）。また、生体情報センサ部１５０が生体インピーダンスの測定を行い（シーケンスＳ２１２）、生体情報取得部１８５が生体インピーダンスに基づいて体脂肪率を計算して、記憶処理部１８４が個人別情報記憶部１４１に算出結果を記憶させる（シーケンスＳ２１３）。
【００５６】
また、通信部１１０が通信部２１０へ生体情報（本実施形態では体重および体脂肪率）を送信する（シーケンスＳ２２１）。スマートフォン２０では、通信部２１０が生体情報を受信し、記憶処理部２８４が当該生体情報を記憶部２４０に記憶させる（シーケンスＳ２２２）。
その後、通信部２１０は、生体情報を受信した旨を通知する応答を通信部１１０へ送信する（シーケンスＳ２２３）。また、表示部２２０は、通信部２１０で受信した生体情報を表示する。この際、受信した生体情報を含む生体情報の履歴を、時系列のグラフにて表示するなどしてもよい（シーケンスＳ２４１）。
応答を受信した体脂肪計１０はスタンバイモード（動作を停止して消費電力を削減するモード）へ遷移し、表示部１２０は表示をＯＦＦにする（シーケンスＳ２３１）。
その後、図７の処理を終了する。
【００５７】
以上のように、体脂肪計１０の通信部１１０が、スマートフォン２０からの要求に基づいて、個人別情報記憶部１４１が記憶している複数人分の個人別登録情報をスマートフォン２０へ送信する。スマートフォン２０の表示部２２０が当該個人別登録情報を表示することで、個人別登録情報の登録を行うユーザが、個人別登録情報を誤って上書きしてしまう可能性を低減させることができる。例えば、ユーザは、未登録となっている個人別登録情報を選択することで、登録済みの個人別登録情報を残したまま、体脂肪計１０に新たな個人別登録情報を登録させることができる。
【００５８】
また、登録要求にて指定される個人別登録情報が、個人別情報記憶部１４１の記憶する個人別登録情報として登録済みか否かを、登録有無判定部２８６が判定する。そして、登録有無判定部２８６が登録済みと判定すると、上書き可否確認処理部２８７が上書き可否をユーザに問い合わせる。
このように、上書き可否確認処理部２８７が、上書き可否を確認することで、個人別登録情報の登録を行うユーザが、個人別登録情報を誤って上書きしてしまう可能性を、さらに低減させることができる。
【００５９】
なお、記憶処理部１８４は、スマートフォン２０からの要求に応じて、個人別情報記憶部１４１の記憶している個人別登録情報の更新を行う。例えば、成長期の子供は身長の変化が大きい。そこで、記憶処理部１８４が個人別情報記憶部１４１の記憶している個人別登録情報を更新することで、生体情報取得部１８５がより正確に体脂肪率を算出し得る。
個人別情報記憶部１４１の記憶している個人別登録情報の更新を要求する際、スマートフォン２０が、個人別登録情報の一部のみを送信するようにしてもよい。
【００６０】
図８は、スマートフォン２０が、個人別登録情報の一部のみを送信する運用において、記憶部２４０が記憶する個人別登録情報のデータ構造の例を示す説明図である。同図の例では、記憶部２４０は、個人別登録情報の項目毎に、更新時の通信対象か否かを示す情報を記憶している。図８に示す各項目のうち、身長は、変化し得るので更新時の通信対象となっている。一方、生年月日や性別は、変化しないので更新時の通信対象となっていない。また、管理ＩＤは、体脂肪計１０が採番するので更新時の通信対象となっていない。また、年齢は、生年月日に基づいて体脂肪計１０が算出するので更新時の通信対象となっていない。
【００６１】
このように、個人別登録情報の一部のみを通信対象とすることで、体脂肪計１０およびスマートフォン２０は、通信量を削減することができる。これにより、体脂肪計１０およびスマートフォン２０の通信処理の負荷を低減させることができる。
なお、上述した身長のほか、アスリート体型／一般体型の設定や、女性の場合の月経周期などが、個人別情報記憶部１４１の記憶している個人別登録情報の更新を要求する際に通信対象となる情報の例として挙げられる。
【００６２】
なお、記憶処理部１８４が、個人別登録情報の更新の新旧を判定するようにしてもよい。
図９は、個人別登録情報の更新の新旧を判定する運用において、個人別情報記憶部１４１や記憶部２４０が記憶する個人別登録情報のデータ構造の例を示す説明図である。同図の例において、個人別情報記憶部１４１や記憶部２４０は、更新日時情報としてのタイムスタンプを含む個人別登録情報を記憶している。
【００６３】
スマートフォン２０の通信部２１０は、個人別登録情報に更新タイミング情報を含む登録要求を送信し、体脂肪計１０の通信部１１０が、当該登録要求を受信する。そして、記憶処理部１８４は、個人別情報記憶部１４１の記憶している更新タイミング情報と、登録要求に含まれる更新タイミング情報とを比較する。記憶処理部１８４は、登録要求に含まれる更新タイミング情報の示す更新タイミングのほうが新しいと判定した場合に、個人別登録情報の登録を行う。
【００６４】
なお、記憶処理部１８４が、登録要求に含まれる更新タイミング情報の示す更新タイミングよりも、個人別情報記憶部１４１の記憶している更新タイミング情報の示す更新タイミングのほうが新しいと判定した場合、スマートフォン２０側の情報の更新を要求するようにしてもよい。
例えば、記憶処理部１８４は、記憶処理部１８４から該当する情報を読み出して更新要求を生成し、通信部１１０を介してスマートフォン２０へ送信する。スマートフォン２０では、通信部２１０が更新要求を受信し、記憶処理部２８４が当該更新要求から情報を読み出して記憶部２４０の記憶している情報を更新する。
このようにして、スマートフォン２０と体脂肪計１０とが記憶する情報の、いずれか古いほうの情報を更新することができる。
【００６５】
このように、個人別登録情報の更新の新旧を判定することで、記憶処理部１８４は、個人別登録情報に複数のバージョンが生じ得る環境においても、より適切に更新を実行し得る。例えば、複数のスマートフォン２０のいずれからも個人別登録情報の登録要求を行える場合、通信部１１０が受信した登録要求よりも新しいデータに基づく登録要求を既に実行済みの場合があり得る。かかる場合、記憶処理部１８４は、今回の登録要求に対しては、個人別登録情報の登録を行わない。これにより、個人別情報記憶部１４１は、より新しいデータに基づく個人別登録情報を、引き続き記憶する。
【００６６】
なお、体脂肪計１０やスマートフォン２０が、ユーザ毎に色分け表示を行うようにしてもよい。
図１０は、ユーザ毎の色分け表示を行う運用において、個人別情報記憶部１４１や記憶部２４０が記憶する個人別登録情報のデータ構造の例を示す説明図である。同図の例において、個人別情報記憶部１４１や記憶部２４０は、個人１〜個人４に登録されるユーザ毎の表示色の情報を含む個人別登録情報を記憶している。この色は、予め決まっていてもよいし、個人別登録情報の登録時にユーザが選択できるようにしてもよい。
【００６７】
図１１は、ユーザ毎の色分け表示を行う運用における体脂肪計１０の外形の例を示す概略外形図である。同図の例において、表示部１２０は、図３を参照して説明した表示画面に加えて、個人１〜個人４の各々に対応する発光ダイオード（Light Emitting Diode、ＬＥＤ）を有している。表示部１２０は、色分け表示部の一例に該当する。なお、図１１において、表示部１２０が異なる色の発光ダイオードを有することを、異なるパターン（ハッチングやドット）を用いて示している。
【００６８】
個人情報の測定の際や、個人別登録情報の登録の際、表示部１２０は、対象となっているユーザに対して個人別登録情報にて対応付けられている色の発光ダイオードを発光させる。
なお、表示部１２０が、発光ダイオードにおける色分け表示に加えて、あるいは代えて、表示画面において色分け表示を行うようにしてもよい。例えば、表示部１２０が、表示画面のバックライトを、ユーザ毎に異なる色で発光させるようにしてもよい。あるいは、表示部１２０が表示画面に、ユーザ毎に異なる色の文字を表示するようにしてもよい。
【００６９】
図１２は、ユーザ毎の色分け表示を行う運用におけるスマートフォン２０の表示例を示す説明図である。同図の例において、スマートフォン２０の表示部２２０は、個人別情報記憶部１４１の記憶している個人別登録情報を、個人別登録情報にて対応付けられている色にて色分けして表示している。なお、図１２において、表示部１２０が異なる色で表示を行うことを、異なるパターンを用いて示している。
【００７０】
以上のように、表示部１２０は、生体情報測定時に色の表示を行う。また、個人別情報記憶部１４１は、個人別登録情報に色情報を含んで記憶する。そして、表示部１２０は、個人別登録情報にて生体情報測定対象者に対応付けられた色を表示する。
これにより、ユーザは、個人別登録情報の登録されているユーザの区別を色で認識することができ、より容易に区別を行えるようになる。特に、個人別登録情報の登録時に、ユーザは、個人別登録情報とユーザとの対応関係をより把握し易くなり、生体情報測定装置が既に記憶している利用者に係る情報が誤って上書きされてしまう可能性を低減させることができる。
スマートフォン２０がユーザの色分け表示を行うことで、生体情報測定装置が既に記憶している利用者に係る情報が誤って上書きされてしまう可能性をさらに低減させることができる。
【００７１】
なお、個人別登録情報の各項目のうち表示対象となる項目をユーザが選択できるようにしてもよい。
図１３は、個人別登録情報の各項目のうち表示対象となる項目をユーザが選択可能な運用において、個人別情報記憶部１４１や記憶部２４０が記憶する個人別登録情報のデータ構造の例を示す説明図である。同図の例において、個人別情報記憶部１４１や記憶部２４０は、個人別登録情報の項目毎に、表示対象か否かを示す情報を記憶している。
【００７２】
例えば、通信部２１０は、個人別登録情報のうち表示対象項目を示す情報を含む登録要求を送信し、通信部１１０は、当該登録要求を受信する。表示対象項目の設定は、登録要求操作を行うユーザにて設定される。
そして、個人別情報記憶部１４１は、個人別登録情報のうち表示対象項目を示す情報を含む個人別情報を記憶する。通信部１１０は、個人別登録情報のうち表示対象項目を示す情報を含む複数人分の個人別登録情報を送信する。
【００７３】
図１４は、個人別登録情報の各項目のうち表示対象となる項目をユーザが選択可能な運用におけるスマートフォン２０の表示例を示す説明図である。スマートフォン２０の表示部２２０は、図１３に例示される個人別登録情報に従って、個人３の個人別登録情報について性別と身長とを表示対象とし、年齢を表示対象から除外している。
【００７４】
このように、個人別登録情報の各項目のうちユーザが選択した項目をスマートフォン２０が表示することで、ユーザは、他者に見られたくない情報が表示されないように設定することができる。この点において、生体情報測定システム１は、プライバシーを保護することができる。
また、個人登録情報の登録要求操作を行うユーザが、個人登録情報に登録されているユーザを認識しやすい項目をスマートフォン２０が表示する運用も可能である。
【００７５】
次に、本実施形態における変形例について説明する。上記では、個人別登録情報が登録済みか否かの判定をスマートフォン側で行ったのに対し、変形例では、当該判定を体脂肪計側で行う。
【００７６】
図１５は、本実施形態の一変形例における生体情報測定システムの機能構成を示す概略ブロック図である。同図において、生体情報測定システム２は、体脂肪計１２と、スマートフォン２２とを具備する。
体脂肪計１２は、通信部１１０と、表示部１２０と、操作入力部１３０と、記憶部１４０と、生体情報センサ部１５０と、制御部１８０とを具備する。記憶部１４０は、個人別情報記憶部１４１を具備する。制御部１８０は、通信制御部１８１と、表示制御部１８２と、入力処理部１８３と、記憶処理部１８４と、生体情報取得部１８５と、通信処理部１８６と、登録有無判定部１８７と、上書き可否確認処理部１８８とを具備する。スマートフォン２２は、通信部２１０と、表示部２２０と、操作入力部２３０と、記憶部２４０と、制御部２８０とを具備する。制御部２８０は、通信制御部２８１と、表示制御部２８２と、入力処理部２８３と、記憶処理部２８４とアプリケーション実行部２８５とを具備する。
図１５において、図１の各部に対応して同様の機能を有する部分には同一の符号（１１０、１２０、１３０、１４０、１４１、１５０、１８０〜１８６、２１０、２２０、２３０、２４０、２８０〜２８５）を付している。
【００７７】
体脂肪計１２は、体脂肪計１０（図１）と同様、ユーザの体重および体脂肪率を測定し、測定結果の履歴を記憶する。
体脂肪計１２には複数のユーザを登録可能であり、体脂肪計１２は、ユーザ毎に測定結果の履歴を記憶する。また、体脂肪計１２は、スマートフォン２２と通信を行って、生体情報の測定結果など、体脂肪計１２のユーザに関する各種情報をやり取りする。
体脂肪計１２は、生体情報測定装置の一例に該当する。但し、本変形例における生体情報測定装置は、体脂肪計に限らず、血圧計や心電図など様々な種類の生体情報測定装置とすることができる。
記憶部１４０および個人別情報記憶部１４１は、図１の場合と同様であり、説明を省略する。
【００７８】
通信部１１０は、図１の場合と同様、通信制御部１８１の制御に従ってスマートフォン２２の通信部２１０と通信を行い、各種情報をやり取りする。通信部１１０は、体脂肪計１２の具備する通信回路を含んで構成される。
特に、通信部１１０は、図１の場合と同様、個人別登録情報の送信要求を、スマートフォン２２の通信部２１０から受信し、個人別登録情報を通信部２１０へ送信し、通信部１１０は、個人別登録情報の登録要求を通信部２１０から受信する。
【００７９】
加えて、登録要求にて指定された個人別登録情報が登録済みであると登録有無判定部１８７が判定すると、通信部１１０は、上書き可否の確認要求を通信部２１０へ送信する。通信部１１０は、上書き可否確認要求送信部の一例に該当する。
そして、通信部１１０は、上書き可否の確認要求に対する回答を受信する。通信部１１０は、上書き可否回答受信部の一例に該当する。
このように、体脂肪計１２が、上書き可否の確認を要求することで、個人別登録情報の登録を行うユーザが、個人別登録情報を誤って上書きしてしまう可能性をさらに低減させることができる。
図１の場合と同様、通信部１１０と通信部２１０との通信方式は、様々な方式とすることができる。
【００８０】
表示部１２０、操作入力部１３０および生体情報センサ部１５０は、図１の場合と同様であり、説明を省略する。
制御部１８０は、図１の場合と同様、体脂肪計１２の各部を制御して各種機能を実行する。制御部１８０は、例えば、体脂肪計１２の具備するＣＰＵ（Central Processing Unit、中央処理装置）が、記憶部１４０からプログラムを読み出して実行することで実現される。あるいは、制御部１８０が、専用の回路にてハードウェア的に実現されるなど、ＣＰＵを用いる形態以外の形態で実現されていてもよい。
通信制御部１８１、表示制御部１８２、入力処理部１８３、生体情報取得部１８５および通信処理部１８６は、図１の場合と同様であり、説明を省略する。
【００８１】
記憶処理部１８４は、記憶部１４０に対するデータの書込や読出や検索など、記憶部１４０に対する各種処理を行う。
特に、記憶処理部１８４は、個人別情報記憶部１４１の記憶する個人別登録情報のうち登録要求にて指定された個人別登録情報に、登録要求にて示される登録内容を登録する。但し、個人別登録情報の上書き可否確認要求に対する回答を通信部１１０が受信した場合、記憶処理部１８４は、回答にて上書き不可とされた情報の登録を抑制する（具体的には、登録を行わない）。記憶処理部１８４は、登録部の一例に該当する。
また、記憶処理部１８４は、個人別登録情報を個人別情報記憶部１４１に記憶させる際に管理ＩＤを設定するなど、個人別情報記憶部１４１に記憶させるデータの加工を行う。
【００８２】
登録有無判定部１８７は、個人別情報記憶部１４１が記憶している個人別登録情報のうち、通信部１１０が通信部２１０から受信する登録要求にて指定される個人別登録情報が、登録済みの状態にあるか否かを判定する。例えば、個人２への個人別登録情報の登録要求を通信部１１０が受信した場合、登録有無判定部１８７は、個人別情報記憶部１４１が記憶している個人２の個人別登録情報を、記憶処理部１８４を介して読み出す。そして、登録有無判定部１８７は、読み出した個人別登録情報の内容を参照して、個人２の個人別登録情報が登録済みの状態か未登録の状態かを判定する。
【００８３】
上書き可否確認処理部１８８は、個人別情報記憶部１４１が記憶している個人別登録情報のうち、登録要求にて指定される個人別登録情報が、登録済みの状態にあると登録有無判定部１８７が判定した場合に、個人別登録情報の上書き可否の確認処理を行う。
具体的には、上書き可否確認処理部１８８は、上書き可否の問合せを、通信部１１０を介して通信部２１０へ送信する。そして、上書き可否確認処理部１８８は、通信部２１０から送信される回答を、通信部１１０を介して取得する。回答が上書き不可を示す場合、上書き可否確認処理部１８８は、記憶処理部１８４による個人別情報記憶部１４１への個人別登録情報の登録（書込）を行わない。
【００８４】
スマートフォン２２は、図１の場合と同様、端末装置の一例に該当し、体脂肪計１２の端末として機能する。例えば、スマートフォン２２は、体脂肪計１２に対して個人別登録情報の登録要求を行う。また、スマートフォン２２は、体脂肪計１２による生体情報の測定結果を表示する。
通信部２１０は、図１の場合と同様、通信制御部２８１の制御に従って体脂肪計１２の通信部１１０と通信を行う。
【００８５】
特に、通信部２１０は、図１の場合と同様、個人別登録情報の送信要求を体脂肪計１２へ送信し、個人別登録情報を、通信部１１０から受信し、個人別登録情報の登録要求を通信部１１０へ送信する。
加えて、通信部２１０は、個人別登録情報の上書き可否の確認要求を通信部１１０から受信する。そして、通信部２１０は、上書き可否の確認要求に対する回答を通信部１１０へ送信する。
【００８６】
表示部２２０、操作入力部２３０および記憶部２４０は、図１の場合と同様であり、説明を省略する。
制御部２８０は、図１の場合と同様、スマートフォン２２の各部を制御して各種機能を実行する。制御部２８０は、例えば、スマートフォン２２の具備するＣＰＵが、記憶部２４０からプログラムを読み出して実行することで実現される。
【００８７】
通信制御部２８１、表示制御部２８２、入力処理部２８３、記憶処理部２８４およびアプリケーション実行部２８５は、図１の場合と同様であり、説明を省略する。
なお、図１の場合と同様、体脂肪計１２の端末装置はスマートフォンに限らない。また、体脂肪計１２の端末装置は、１つに限らない。
【００８８】
次に、図１６を参照して、生体情報測定システム２の動作について説明する。
図１６は、体脂肪計１２とスマートフォン２２とがペアリングを行う処理手順の例を示すシーケンス図である。シーケンスＳ３０１〜Ｓ３４１は、図６のシーケンスＳ１０１〜Ｓ１４１と同様である。
シーケンスＳ３４１の後、通信部２１０は、シーケンスＳ３０２で登録された個人別登録情報を、個人２へ登録するよう要求する登録要求を通信部１１０へ送信する（シーケンスＳ３４２）。
【００８９】
体脂肪計１２では、登録有無判定部１８７が、登録要求にて選択されている個人別登録情報の登録の有無を判定する（シーケンスＳ３４３）。例えば、登録有無判定部１８７は、登録要求にて選択されている個人２の個人別登録情報を、記憶処理部１８４を介して個人別情報記憶部１４１から読み出す。そして、登録有無判定部１８７は、読み出した個人別登録情報の内容が、未登録を示すデータか否かを判定する。
シーケンスＳ３４１にて未登録の個人別登録情報が選択されているので、登録有無判定部１８７は登録なしと判定する。そして、記憶処理部１８４は、登録要求に従って個人別登録情報を個人２に登録する（シーケンスＳ３４４）。
【００９０】
なお、登録有無判定部１８７が登録済みと判定した場合は、上書き可否確認処理部１８８が、上書きの可否を、通信部１１０を介してスマートフォン２２へ問い合わせる。上書き可の回答を得た場合、記憶処理部１８４は、登録要求に従って個人別登録情報を個人２に登録する。一方、上書き不可の回答を得た場合、記憶処理部１８４は、個人別登録情報の登録を行わない。
【００９１】
シーケンスＳ３４５〜Ｓ３５１は、図６のシーケンスＳ１４５〜Ｓ１５１と同様である。図１６後の処理についても、上述した図６の後の処理と同様である。
以上のように、図１の場合と同様、体脂肪計１２の通信部１１０が、スマートフォン２２からの要求に基づいて、個人別情報記憶部１４１が記憶している複数人分の個人別登録情報をスマートフォン２２へ送信する。スマートフォン２２の表示部２２０が当該個人別登録情報を表示することで、個人別登録情報の登録を行うユーザが、個人別登録情報を誤って上書きしてしまう可能性を低減させることができる。例えば、ユーザは、未登録となっている個人別登録情報を選択することで、登録済みの個人別登録情報を残したまま、体脂肪計１２に新たな個人別登録情報を登録させることができる。
【００９２】
また、登録要求にて指定される個人別登録情報が、個人別情報記憶部１４１の記憶する個人別登録情報として登録済みか否かを、登録有無判定部１８７が判定する。そして、登録有無判定部１８７が登録済みと判定すると、上書き可否確認処理部１８８が上書き可否の確認要求をスマートフォン２２へ送信する。
このように、体脂肪計１２が、上書き可否の確認を要求することで、個人別登録情報の登録を行うユーザが、個人別登録情報を誤って上書きしてしまう可能性を、さらに低減させることができる。
個人別登録情報の更新や、表示の色分けや、表示対象項目のユーザ選択についても、上述した生体情報測定システム１の場合と同様である。
【００９３】
なお、制御部１８０や制御部２８０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００９４】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００９５】
１、２  生体情報測定システム
１０、１２  体脂肪計
２０、２２  スマートフォン
１１０、２１０  通信部
１２０、２２０  表示部
１３０、２３０  操作入力部
１４０、２４０  記憶部
１４１  個人別情報記憶部
１５０  生体情報センサ部
１８０、２８０  制御部
１８１、２８１  通信制御部
１８２、２８２  表示制御部
１８３、２８３  入力処理部
１８４、２８４  記憶処理部
１８５  生体情報取得部
１８６  通信処理部
１８７、２８６  登録有無判定部
１８８，２８７  上書き可否確認処理部
２８５  アプリケーション実行部
【要約】
【課題】生体情報測定装置が既に記憶している利用者に係る情報が誤って上書きされてしまう可能性を低減させる。
【解決手段】生体情報測定装置が、個人別登録情報と生体情報とが対応付けられた個人別情報を複数人分記憶する個人別情報記憶部と、前記個人別登録情報の送信要求を受信する送信要求受信部と、前記送信要求に基づいて、前記個人別情報記憶部が記憶している複数人分の個人別登録情報を送信する個人別登録情報送信部と、前記複数人分の個人別登録情報のいずれかの指定と登録内容とが対応付けられた登録要求を受信する登録要求受信部と、前記個人別情報記憶部の記憶する個人別登録情報のうち前記登録要求にて指定された個人別登録情報に前記登録内容を登録する登録部と、を具備する。
【選択図】図１【図１】
0005637411.tif 000002
【図２】
0005637411.tif 000003
【図３】
0005637411.tif 000004
【図４】
0005637411.tif 000005
【図５】
0005637411.tif 000006
【図６】
0005637411.tif 000007
【図７】
0005637411.tif 000008
【図８】
0005637411.tif 000009
【図９】
0005637411.tif 000010
【図１０】
0005637411.tif 000011
【図１１】
0005637411.tif 000012
【図１２】
0005637411.tif 000013
【図１３】
0005637411.tif 000014
【図１４】
0005637411.tif 000015
【図１５】
0005637411.tif 000016
【図１６】
0005637411.tif 000017